(57)【要約】【課題】遮音性能を備えるとともに、全体構造の組み立て状態を向上させることができ、しかも、全体的な組み立て作業の作業効率を向上させることが可能な間仕切壁構造およびその形成方法。【解決手段】隣り合うスタッド４、４のうち、一方のスタッド４は上下ランナ２、３の凹溝部２ａ、３ａの一方の内壁に当接されるとともに他方の内壁から離間しており、他方のスタッド４は前記凹溝部２ａ、３ａの他方の内壁に当接されるとともに一方の内壁から離間しており、  前記スタッド４には、前記スタッド４と内壁との間に挿入されてスタッド４を内壁から離間させるスタッド用スペーサ６が設けられており、  前記上下ランナ２、３とスタッド４とにより形成される骨組み１ａ内には、断熱材７が前記スタッド４と面材５との間を通るように蛇行して設けられていることを特徴とする間仕切壁構造およびその形成方法。【選択図】図１
2006161502.tif 000002
【特許請求の範囲】
【請求項１】
凹溝状に形成された上下ランナと、これら上下ランナの対向する凹溝部に上下端部が嵌め込まれた中空状の複数のスタッドとによって骨組みが形成され、この骨組みの表裏両面に面材が取り付けられてなる間仕切壁構造において、
隣り合う前記スタッドのうち、一方のスタッドの上下端部は前記凹溝部の一方の内壁に当接されるとともに他方の内壁から離間しており、他方のスタッドは前記凹溝部の他方の内壁に当接されるとともに一方の内壁から離間しており、
前記スタッドの上下端部には、前記スタッドと内壁との間に挿入されてスタッドを内壁から離間させるスタッド用スペーサが設けられており、
前記骨組み内には、断熱材が前記スタッドと面材との間を通るように蛇行して設けられていることを特徴とする間仕切壁構造。
【請求項２】
請求項１に記載の間仕切壁構造において、
前記上下ランナの対向する凹溝部に、この凹溝部の溝幅に応じた幅を有する複数の支持柱体が等間隔に配設されており、
これら等間隔に配設された複数の支持柱体どうし間に、所定本数の前記複数のスタッドが配設されていること特徴とする間仕切壁構造。
【請求項３】
請求項１または２に記載の間仕切壁構造において、
前記スタッド用スペーサは、前記中空状の複数のスタッドの内部に差し込まれる差込部と、この差込部から徐々に先細りしながら延出する本体部と、この本体部の両側部から垂直方向に延出し、前記差込部との間に前記複数のスタッドのフレームが嵌まり込む隙間を備えた側板部と、前記本体部の先端から垂直方向に延出し、前記凹溝部の他方の内壁に当接する当接部とから構成されていることを特徴とする間仕切壁構造。
【請求項４】
請求項３に記載の間仕切壁構造において、
前記当接部の両側辺には、円滑な曲面を形成する翼部がそれぞれ設けられていることを特徴とする間仕切壁構造。
【請求項５】
凹溝状に形成された上下ランナの対向する凹溝部に、予めスタッド用スペーサを上下端部に取り付けた状態の複数のスタッドを、前記スタッド用スペーサが前記凹溝部の内壁に当接しないようにして所定の本数を挿入し、次に、前記複数のスタッドを前記凹溝部のいずれか一方の内壁に当接するように、かつ、これら複数のスタッドに取り付けられたスタッド用スペーサが他方の内壁に当接するように９０度回転させて、前記複数のスタッドの上下端部を前記凹溝部に固定して骨組みを形成し、この骨組みに断熱材を蛇行するように組み込んだ後、該骨組みの表裏両面に面材を取り付けることを特徴とする間仕切壁の形成方法。
【発明の詳細な説明】
【技術分野】
【０００１】
本発明は、凹溝状に形成された上下ランナと、これら上下ランナの対向する凹溝部に上下端部が嵌め込まれた中空状の複数のスタッドとによって骨組みが形成され、この骨組みの表裏両面に面材が取り付けられてなる間仕切壁構造に関する。
【背景技術】
【０００２】
建物の内壁を構成する間仕切壁として、従来から種々の構造のものが知られている（例えば、特許文献１参照）。
この特許文献１に記載の間仕切壁は、アングル状を呈し、四角枠を構成するように枠組みされる上下、左右のランナと、上下ランナ間に千鳥状に立設した状態で所定間隔をおいて並設される複数本のスタッドと、これらのスタッドを内設するように表、裏面に張り付けられる一対の石膏ボードと、四角枠内であって石膏ボード間に介在し、蛇行して組み込まれる断熱材を備えた構造となっている。
【０００３】
上記のような間仕切壁は、前記上下ランナ間に複数のスタッドを千鳥状に配列し、これらのスタッドを内設するようにして石膏ボードを表、裏面に張り付けていることから、表、裏面のボードが直接には連結されていない状態となり、音、振動の伝わりを防ぐことができるようになっている。しかも、これら石膏ボード間に断熱材を蛇行させて組み込んでいることから、さらに遮音性能を得ることができるようになっている。
【特許文献１】特開２００４−０８４２２１号公報
【発明の開示】
【発明が解決しようとする課題】
【０００４】
ところで、前記複数のスタッドを千鳥状に配列するために、これら複数のスタッドの前記上下ランナへの組み込み部に、前記複数のスタッドと共に前記上下ランナの溝部に嵌まり合う形状を有するスペーサとしての角パイプを嵌め込んで、前記複数のスタッドを前記溝部内に固定するようにしている。
そして、前記スペーサは前記複数のスタッドを形成した角パイプの残りを利用して構成されているので、少なくとも前記複数のスタッドと同じ断面寸法を有しており、その長さは適宜の長さで用いられている。
【０００５】
ところが、前記スペーサの長さが隣り合うスタッドどうし間に納まりきらない場合は、必然的に前記スペーサを切断してから前記溝部に嵌め込まなければならず、その上で、前記スペーサも千鳥状に嵌め込まなければならないことから、前記溝部内という狭いスペースで、これらスタッドおよびスペーサを状態良く設置することが難しかった。
また、このようなスペーサは隙間に嵌め込むだけの構造であるため、前記上ランナの溝部に取り付けた場合には、このスペーサの落下等に留意して作業を行わなければならなかった。
さらに、前記スペーサの大きさも、少なくとも前記複数のスタッドと同じ断面寸法を有しているため、使用量によっては持ち運びや取り付け作業に手間がかかり作業性が悪い場合がある。
【０００６】
本発明の課題は、遮音性能を備えるとともに、全体構造の組み立て状態を向上させることができ、しかも、全体的な組み立て作業の作業効率を向上させることが可能な間仕切壁構造およびその形成方法を提供することを目的とする。
【課題を解決するための手段】
【０００７】
請求項１に記載の発明は、例えば図１または図２に示すように、凹溝状に形成された上下ランナ２、３と、これら上下ランナ２、３の対向する凹溝部２ａ、３ａに上下端部４ａ、４ｂが嵌め込まれた中空状の複数のスタッド４とによって骨組み１ａが形成され、この骨組み１ａの表裏両面に面材５が取り付けられてなる間仕切壁構造１において、
隣り合う前記スタッド４、４のうち、一方のスタッド４の上下端部４ａ、４ｂは前記凹溝部２ａ、３ａの一方の内壁に当接されるとともに他方の内壁から離間しており、他方のスタッド４は前記凹溝部２ａ、３ａの他方の内壁に当接されるとともに一方の内壁から離間しており、
前記スタッド４の上下端部４ａ、４ｂには、前記スタッド４と内壁との間に挿入されてスタッド４を内壁から離間させるスタッド用スペーサ６が設けられており、
前記骨組み１ａ内には、断熱材７が前記スタッド４と面材５との間を通るように蛇行して設けられていることを特徴とする。
【０００８】
請求項１に記載の発明によれば、隣り合う前記スタッド４、４のうち、一方のスタッド４の上下端部４ａ、４ｂは前記凹溝部２ａ、３ａの一方の内壁に当接されるとともに他方の内壁から離間しており、他方のスタッド４は前記凹溝部２ａ、３ａの他方の内壁に当接されるとともに一方の内壁から離間しており、
前記スタッド４の上下端部４ａ、４ｂには、前記スタッド４と内壁との間に挿入されてスタッド４を内壁から離間させるスタッド用スペーサ６が設けられており、
前記骨組み１ａ内には、断熱材７が前記スタッド４と面材５との間を通るように蛇行して設けられていることから、遮音性能を備えるとともに、全体構造の組み立て状態を向上させることができる。
すなわち、一方のスタッド４の上下端部４ａ、４ｂは前記凹溝部２ａ、３ａの一方の内壁に当接されるとともに他方の内壁から離間し、他方のスタッド４は前記凹溝部２ａ、３ａの他方の内壁に当接されるとともに一方の内壁から離間していることから、前記スタッド４は前記凹溝部２ａ、３ａ内において千鳥状に配置された構造となっている。これにより、前記上下ランナ２、３とスタッド４とにより形成される骨組み１ａの表裏両面に取り付けられる面材５が直接には連結していない状態となるので、壁伝いによる音、振動等の伝達を防止することができ、遮音性能を具備することが可能となる。
一方、前記骨組み１ａ内には、断熱材７が前記スタッド４と面材５との間を通るように蛇行して設けられていることから、壁の断熱効果を高めるだけではなく、前記骨組み１ａの表裏両面に取り付けられた面材５間の空隙を埋めることができるようになっているので、音、振動等の空気伝達を防ぐことができ、遮音性能を具備することが可能となる。
そして、前記スタッド４の上下端部４ａ、４ｂには、前記スタッド４と内壁との間に挿入されてスタッド４を内壁から離間させるスタッド用スペーサ６が設けられていることから、前記スタッド４と前記凹溝部２ａ、３ａとの組み込み部分を強固に固定することができるので、前記上下ランナ２、３とスタッド４とを強固に固定することができる。したがって、前記上下ランナ２、３とスタッド４とにより形成される骨組み１ａの組み立て状態を向上させることが可能となる。
【０００９】
請求項２に記載の発明は、例えば図１または図２に示すように、請求項１に記載の間仕切壁構造１において、
前記上下ランナ２、３の対向する凹溝部２ａ、３ａに、この凹溝部２ａ、３ａの溝幅に応じた幅を有する複数の支持柱体８が等間隔に配設されており、
これら等間隔に配設された複数の支持柱体どうし８、８間に、所定本数の前記複数のスタッド４が配設されていること特徴とする。
【００１０】
請求項２に記載の発明によれば、前記上下ランナ２、３の対向する凹溝部２ａ、３ａに、この凹溝部２ａ、３ａの溝幅に応じた幅を有する複数の支持柱体８が等間隔に配設されており、
これら等間隔に配設された複数の支持柱体どうし８、８間に、所定本数の前記複数のスタッド４が配設されていることから、前記複数の支持柱体８と前記スタッド４とが併設される構造となるので、これにより、前記上下ランナ２、３とスタッド４とにより形成される骨組み１ａの強度を向上させることができる。
【００１１】
請求項３に記載の発明は、例えば図３に示すように、請求項１または２に記載の間仕切壁構造１において、
前記スタッド用スペーサ６は、前記中空状の複数のスタッド４の内部に差し込まれる差込部６ａと、この差込部６ａから徐々に先細りしながら延出する本体部６ｂと、この本体部６ｂの両側部から垂直方向に延出し、前記差込部６ａとの間に前記複数のスタッド４のフレーム４ｃが嵌まり込む隙間を備えた側板部６ｃと、前記本体部６ｂの先端から垂直方向に延出し、前記凹溝部２ａ、３ａの他方の内壁に当接する当接部６ｄとから構成されていることを特徴とする。
【００１２】
請求項３に記載の発明によれば、前記スタッド用スペーサ６は、前記中空状の複数のスタッド４の内部に差し込まれる差込部６ａと、この差込部６ａから徐々に先細りしながら延出する本体部６ｂと、この本体部６ｂの両側部から垂直方向に延出し、前記差込部６ａとの間に前記複数のスタッド４のフレーム４ｃが嵌まり込む隙間を備えた側板部６ｃと、前記本体部６ｂの先端から垂直方向に延出し、前記凹溝部２ａ、３ａの他方の内壁に当接する当接部６ｄとから構成されていることから、前記上下ランナ２、３とスタッド４との組み込み部分を強固に固定することができる。
すなわち、前記差込部６ａが中空状のスタッド４の内部に差し込まれることにより、スタッド用スペーサ６を前記スタッド４に取り付けることができる。
そして、前記差込部６ａから徐々に先細りしながら延出する本体部６ｂにより、前記スタッド４が前記凹溝部２ａ、３ａの一方の内壁から離間されて、前記スタッド４を他方の内壁に当接させることができるようになっている。
また、前記本体部６ｂの両側部に設けられた側板部６ｃによって、前記本体部６ｂの折れ曲がり等を防止するように該本体部６ｂの強度が向上されるようになっている。さらに、前記側板部６ｃには前記差込部６ａとの間に前記スタッド４のフレーム４ｃが嵌まり込む隙間を備えているので、スタッド用スペーサ６とスタッド４との取り付け状態を向上させることができるようになっている。
しかも、前記本体部６ｂの先端から垂直方向に延出する当接部６ｄによって、スタッド用スペーサ６を前記凹溝部２ａ、３ａの内壁に当接させることができるようになっている。
したがって、このようなスタッド用スペーサ６が取り付けられたスタッド４を前記上下ランナ２、３の凹溝部２ａ、３ａに組み込むことが可能となり、この組み込み部分を強固に固定することができる。
【００１３】
請求項４に記載の発明は、例えば図３に示すように、請求項３に記載の間仕切壁構造１において、
前記当接部６ｄの両側辺には、円滑な曲面を形成する翼部６ｅがそれぞれ設けられていることを特徴とする。
【００１４】
請求項４に記載の発明によれば、前記当接部６ｄの両側辺には、円滑な曲面を形成する翼部６ｅがそれぞれ設けられていることから、前記翼部６ｅが前記凹溝部２ａ、３ａの内壁に接触する際に、この接触部分に生じる摩擦力を緩和できるようになっている。
すなわち、前記スタッド用スペーサ６を取り付けた状態のスタッド４が前記凹溝部２ａ、３ａに配設される際に、前記スタッド用スペーサ６と凹溝部２ａ、３ａの内壁とが接触することによる前記スタッド用スペーサ６の折れ曲がりや凹溝部２ａ、３ａの歪み等の発生を防ぐことができる。
【００１５】
請求項５に記載の発明は、例えば図１乃至図４に示すように、凹溝状に形成された上下ランナ２、３の対向する凹溝部２ａ、３ａに、予めスタッド用スペーサ６を上下端部４ａ、４ｂに取り付けた状態の複数のスタッド４を、前記スタッド用スペーサ６が前記凹溝部２ａ、３ａの内壁に当接しないようにして所定の本数を挿入し、次に、前記複数のスタッド４を前記凹溝部２ａ、３ａのいずれか一方の内壁に当接するように、かつ、これら複数のスタッド４に取り付けられたスタッド用スペーサ６が他方の内壁に当接するように９０度回転させて、前記複数のスタッド４の上下端部４ａ、４ｂを前記凹溝部２ａ、３ａに固定して骨組み１ａを形成し、この骨組み１ａに断熱材７を蛇行するように組み込んだ後、該骨組み１ａの表裏両面に面材５を取り付けることを特徴とする。
【００１６】
請求項５に記載の発明によれば、凹溝状に形成された上下ランナ２、３の対向する凹溝部２ａ、３ａに、予めスタッド用スペーサ６を上下端部４ａ、４ｂに取り付けた状態の複数のスタッド４を、前記スタッド用スペーサ６が前記凹溝部２ａ、３ａの内壁に当接しないようにして所定の本数を挿入し、次に、前記複数のスタッド４を前記凹溝部２ａ、３ａのいずれか一方の内壁に当接するように、かつ、これら複数のスタッド４に取り付けられたスタッド用スペーサ６が他方の内壁に当接するように９０度回転させて、前記複数のスタッド４の上下端部４ａ、４ｂを前記凹溝部２ａ、３ａに固定して骨組み１ａを形成し、この骨組み１ａに断熱材７を蛇行するように組み込んだ後、該骨組み１ａの表裏両面に面材５を取り付けることから、全体的な組み立て作業の作業効率を向上させることができる。
すなわち、前記スタッド用スペーサ６を上下端部４ａ、４ｂに取り付けた状態の複数のスタッド４を、前記スタッド用スペーサ６が前記凹溝部２ａ、３ａの内壁に当接しないようにして所定の本数を挿入し、次に、前記複数のスタッド４を前記凹溝部２ａ、３ａのいずれか一方の内壁に当接するように、かつ、これら複数のスタッド４に取り付けられたスタッド用スペーサ６が他方の内壁に当接するように９０度回転させるだけで、前記複数のスタッド４の上下端部４ａ、４ｂを前記凹溝部２ａ、３ａに簡単に固定することができる。これにより、前記上下ランナ２、３とスタッド４とにより形成される骨組み１ａの組立作業も簡単に行うことができ、さらに、このような骨組み１ａに断熱材７を蛇行するように組み込んだ後、該骨組み１ａの表裏両面に面材５を取り付けるだけで間仕切壁１を形成することができるので、全体的な組み立て作業の作業効率を向上させることができる。
また、前記スタッド４の上下端部４ａ、４ｂにスタッド用スペーサ６を予め取り付けておくことによって、前記上下ランナ２、３とスタッド４との組み立てに係る作業時間を短縮できるので、さらに作業効率を向上させることが可能となっている。
【発明の効果】
【００１７】
本発明によれば、スタッドの上下端部に、該スタッドと内壁との間に挿入されてスタッドを内壁から離間させるスタッド用スペーサを設けて、前記スタッドと前記凹溝部との組み込み部分を強固に固定することによって、前記上下ランナとスタッドとを強固に固定することができ、延いては、前記上下ランナとスタッドとにより形成される骨組みの組み立て状態を向上させることができる。また、前記上下ランナの凹溝部に等間隔に複数の支持柱体を配設し、これら複数の支持柱体と前記スタッドとを併設するので、前記上下ランナとスタッドとにより形成される骨組みの強度をさらに向上させることができる。これによって、全体構造の組み立て状態を向上させることが可能となる。
さらに、前記スタッドは前記凹溝部内において千鳥状に配置された構造となっているとともに、断熱材が前記スタッドと前記骨組みの表裏両面に取り付けられる面材との間を通るように蛇行して設けられていることから、壁伝いによる音、振動等の伝達や音、振動等の空気伝達を防止することができるので、遮音性能を具備することが可能となる。
一方、前記スタッド用スペーサが取り付けられたスタッドを、前記凹溝部の内壁に当接しないようにして挿入してから、前記スタッド用スペーサとスタッドとが前記凹溝部の異なる内壁に当接するように９０度回転させるだけで、前記複数のスタッドの上下端部を前記凹溝部に簡単に固定することができ、これによって、前記上下ランナとスタッドとにより形成される骨組みの組立作業も簡単に行うことができ、延いては、このような骨組みに断熱材を蛇行するように組み込んだ後、該骨組みの表裏両面に面材を取り付けるだけで間仕切壁を形成することができるので、全体的な組み立て作業の作業効率を向上させることができる。
【発明を実施するための最良の形態】
【００１８】
以下、図面を参照して本発明に係る間仕切壁構造１およびその形成方法の実施の形態について説明する。
【００１９】
本実施の形態の間仕切壁構造１は、図１または図２に示すように、凹溝状に形成された上下ランナ２、３と、これら上下ランナ２、３の対向する凹溝部２ａ、３ａに上下端部４ａ、４ｂが嵌め込まれた中空状の複数のスタッド４とによって骨組み１ａが形成され、この骨組み１ａの表裏両面に面材５が取り付けられてなり、
隣り合う前記スタッド４、４のうち、一方のスタッド４の上下端部４ａ、４ｂは前記凹溝部２ａ、３ａの一方の内壁に当接されるとともに他方の内壁から離間しており、他方のスタッド４は前記凹溝部２ａ、３ａの他方の内壁に当接されるとともに一方の内壁から離間しており、
前記スタッド４の上下端部４ａ、４ｂには、前記スタッド４と内壁との間に挿入されてスタッド４を内壁から離間させるスタッド用スペーサ６が設けられており、
前記骨組み１ａ内には、断熱材７が前記スタッド４と面材５との間を通るように蛇行して設けられている。
【００２０】
また、前記上下ランナ２、３の対向する凹溝部２ａ、３ａに、この凹溝部２ａ、３ａの溝幅に応じた幅を有する複数の支持柱体８が等間隔に配設されており、これら等間隔に配設された複数の支持柱体どうし８、８間に、所定本数の前記複数のスタッド４が配設されている。
【００２１】
前記上下ランナ２、３は、図２に示すように、上ランナ２、下ランナ３共に薄肉鋼板によって凹溝状に形成されており、これら上下ランナ２、３の凹溝部２ａ、３ａが向かい合うようにして用いられる。
なお、これら上下ランナ２、３を設置する際には、天井や床にビス止めや釘打ち等によって設置されるようになっている。
【００２２】
前記スタッド４は、図１または図２に示すように、薄肉鋼板によって角パイプ様に中空状にして形成され、かつ、前記上下ランナ２、３よりも小さい外形寸法を有するとともに、前記上下ランナ２、３間に立設できるように長尺に形成されている。
また、このようなスタッド４は前記上下ランナ２、３の対向する凹溝部２ａ、３ａに複数配設されるが、隣り合う前記スタッド４、４のうち、一方のスタッド４の上下端部４ａ、４ｂは前記凹溝部２ａ、３ａの一方の内壁に当接されるとともに他方の内壁から離間し、他方のスタッド４は前記凹溝部２ａ、３ａの他方の内壁に当接されるとともに一方の内壁から離間して配設されていることから、前記スタッド４は前記凹溝部２ａ、３ａ内において千鳥状に配置された構造となっている。
【００２３】
前記面材５は、図２に示すように、前記上下ランナ２、３とスタッド４とにより形成される骨組み１ａの表裏両面に取り付けられており、本実施の形態では、石膏ボードが用いられている。このように石膏ボードを用いることにより耐火性を備える。
【００２４】
前記スタッド用スペーサ６は、図３に示すように、前記中空状の複数のスタッド４の内部に差し込まれる差込部６ａと、この差込部６ａから徐々に先細りしながら延出する本体部６ｂと、この本体部６ｂの両側部から垂直方向に延出し、前記差込部６ａとの間に前記複数のスタッド４のフレーム４ｃが嵌まり込む隙間を備えた側板部６ｃと、前記本体部６ｂの先端から垂直方向に延出し、前記凹溝部２ａ、３ａの他方の内壁に当接する当接部６ｄとから構成されている。
【００２５】
このようなスタッド用スペーサ６によれば、前記差込部６ａが中空状のスタッド４の内部に差し込まれることにより、このスタッド用スペーサ６を前記スタッド４に取り付けることができるようになっている。
そして、前記差込部６ａから徐々に先細りしながら延出する本体部６ｂにより、前記スタッド４が前記凹溝部２ａ、３ａの一方の内壁から離間されて、前記スタッド４を他方の内壁に当接させることができるようになっている。
また、前記本体部６ｂの両側部に設けられた側板部６ｃによって、前記本体部６ｂの折れ曲がり等を防止するように該本体部６ｂの強度が向上されるようになっている。さらに、前記側板部６ｃには前記差込部６ａとの間に前記スタッド４のフレーム４ｃが嵌まり込む隙間を備えているので、スタッド用スペーサ６とスタッド４との取り付け状態を向上させることができるようになっている。
しかも、前記本体部６ｂの先端から垂直方向に延出する当接部６ｄによって、スタッド用スペーサ６を前記凹溝部２ａ、３ａの内壁に当接させることができるようになっている。
したがって、このようなスタッド用スペーサ６が取り付けられたスタッド４を前記上下ランナ２、３の凹溝部２ａ、３ａに組み込むことが可能となり、この組み込み部分を強固に固定することができる。
【００２６】
一方、図３に示すように、前記当接部６ｄの両側辺には、円滑な曲面を形成する翼部６ｅがそれぞれ設けられている。これによって、前記翼部６ｅが前記凹溝部２ａ、３ａの内壁に接触する際に、この接触部分に生じる摩擦力を緩和できるようになっている。
すなわち、前記スタッド用スペーサ６を取り付けた状態のスタッド４が前記凹溝部２ａ、３ａに配設される際に、前記スタッド用スペーサ６と凹溝部２ａ、３ａの内壁とが接触することによる前記スタッド用スペーサ６の折れ曲がりや凹溝部２ａ、３ａの歪み等の発生を防ぐことができる。
【００２７】
また、図３に示すように、前記スタッド用スペーサ６の本体部６ｂの中心付近には、ビス止め用の孔部６ｆが形成されており、この孔部６ｆから前記上下ランナ２、３を貫通して、直接天井や床にビス止めすることができるようになっている。これによって、前記上下ランナ２、３とスタッド４と天井もしくは床とを強固に固定することが可能となり、延いては、全体構造の組み立て状態をも向上させることができるので好ましい。
【００２８】
前記断熱材７は、図１に示すように、前記スタッド４と前記骨組み１ａの表裏両面に取り付けられる面材５との間を通るように蛇行して設けられており、本実施の形態では、数種類の鉱石等を繊維状にして所定の形状に成形したロックウールが用いられている。
このようなロックウールによれば、壁の断熱効果を高めるだけではなく、低周波から高周波まで優れた吸音性能を備えており、これを前記面材５間に介在させるだけで遮音性能を格段に向上させることができる。
【００２９】
前記支持柱体８は、図２に示すように、前記上下ランナ２、３の対向する凹溝部２ａ、３ａの溝幅に応じた幅を有し、前記スタッド４と同じ高さ寸法に形成されている。
また、上述したように、この支持柱体８は、前記上下ランナ２、３の対向する凹溝部２ａ、３ａに等間隔に配設されており、これら等間隔に配設された複数の支持柱体どうし８、８間に、所定本数の前記複数のスタッド４が配設されていることから、前記複数の支持柱体８と前記スタッド４とが併設される構造となるので、これにより、前記上下ランナ２、３とスタッド４とにより形成される骨組み１ａの強度を向上させることができる。
【００３０】
なお、本実施の形態では、図１または図２に示すように、前記支持柱体８として木製のものや鋼製のものが用いられている。すなわち、鋼板によって角パイプ状に形成した支持柱体８の場合には軽量化や耐腐食性等の利点を備えているが、例えば、図１に示すような交差する壁１０際に設置する場合には、木製の支持柱体８を用いて、木材どうしを連結させた方が連結強度を向上させることができるので好ましい。
【００３１】
以上のような構成の間仕切壁構造１によれば、前記スタッド４の上下端部４ａ、４ｂに、前記スタッド４と内壁との間に挿入されてスタッド４を内壁から離間させるスタッド用スペーサ６を設けて、前記スタッド４と前記凹溝部２ａ、３ａとの組み込み部分を強固に固定することによって、前記上下ランナ２、３とスタッド４とを強固に固定することができ、延いては、前記上下ランナ２、３とスタッド４とにより形成される骨組み１ａの組み立て状態を向上させることができる。
また、前記上下ランナ２、３の凹溝部２ａ、３ａに等間隔に複数の支持柱体８を配設し、これら複数の支持柱体８と前記スタッド４とを併設するので、前記上下ランナ２、３とスタッド４とにより形成される骨組み１ａの強度をさらに向上させることができる。これによって、全体構造の組み立て状態を向上させることが可能となる。
さらに、前記スタッド４は前記凹溝部２ａ、３ａ内において千鳥状に配置された構造となっているとともに、断熱材７が前記スタッド４と前記骨組み１ａの表裏両面に取り付けられる面材５との間を通るように蛇行して設けられていることから、壁伝いによる音、振動等の伝達や音、振動等の空気伝達を防止することができるので、遮音性能を具備することが可能となる。
【００３２】
以上のような構成の間仕切壁１を形成するには、図１乃至図４に示すように、凹溝状に形成された上下ランナ２、３の対向する凹溝部２ａ、３ａに、予めスタッド用スペーサ６を上下端部４ａ、４ｂに取り付けた状態の複数のスタッド４を、前記スタッド用スペーサ６が前記凹溝部２ａ、３ａの内壁に当接しないようにして所定の本数を挿入し、次に、前記複数のスタッド４を前記凹溝部２ａ、３ａのいずれか一方の内壁に当接するように、かつ、これら複数のスタッド４に取り付けられたスタッド用スペーサ６が他方の内壁に当接するように９０度回転させて、前記複数のスタッド４の上下端部４ａ、４ｂを前記凹溝部２ａ、３ａに固定して骨組み１ａを形成し、この骨組み１ａに断熱材７を蛇行するように組み込んだ後、該骨組み１ａの表裏両面に面材５を取り付ける。
【００３３】
すなわち、まず、前記スタッド４の上下端部４ａ、４ｂにスタッド用スペーサ６を予め取り付けておくようにする。これによって、前記上下ランナ２、３とスタッド４との組み立てに係る作業時間を短縮できるので、さらに作業効率を向上させることが可能となっている。
【００３４】
次に、前記上下ランナ２、３の対向する凹溝部２ａ、３ａに、前記複数の支持柱体８を等間隔に配設するとともに、これら等間隔に配設された複数の支持柱体どうし８、８間に、所定本数の前記スタッド４を挿入する。この時、図４（ａ）に示すように、前記スタッド４は、前記凹溝部２ａ、３ａの内壁に当接しないようにして挿入する。
ここで、前記所定本数とは、図１または図２に示すように、本実施の形態では前記支持柱体８、８間に３本のスタッド４を挿入している。これは、間仕切壁１の耐力を一定以上に保つとともに、前記断熱材７を簡単に蛇行して設けるためであり、これらを満たすことができる本数であれば上述の３本に限られるものではない。
【００３５】
次に、図４（ａ）（ｂ）に示すように、前記支持柱体８、８間に挿入したスタッド４を、前記凹溝部２ａ、３ａのいずれか一方の内壁に当接するように、かつ、これらスタッド４に取り付けられたスタッド用スペーサ６が他方の内壁に当接するように９０度回転させる。
そして、このように９０度回転させた際に、前記支持柱体８、８間に挿入したスタッド４が、前記凹溝部２ａ、３ａに千鳥状に固定されて配設された状態となる。
【００３６】
また、上述のように、前記スタッド４を９０度回転させた際、前記スタッド用スペーサ６の当接部６ｄには、図３に示すように、その両側辺に円滑な曲面を形成する翼部６ｅが設けられているので、これら翼部６ｅが前記凹溝部２ａ、３ａの内壁に接触する際に、この接触部分に生じる摩擦力を緩和できるようになっている。
すなわち、上述のように、前記スタッド用スペーサ６を取り付けた状態のスタッド４を前記凹溝部２ａ、３ａに配設する際に、前記スタッド用スペーサ６と凹溝部２ａ、３ａの内壁とが接触することによる前記スタッド用スペーサ６の折れ曲がりや凹溝部２ａ、３ａの歪み等の発生を防ぐことができるようになっている。
【００３７】
なお、前記スタッド４を９０度回転させる際、予め前記上下ランナ２、３と複数の支持柱体８とを接続固定させておくと安定感が増すので、前記スタッド４を９０度回転させる作業を簡便に行うことができて好ましい。
【００３８】
以上のようにして、前記上下ランナ２、３とスタッド４によって間仕切壁１の骨組み１ａが形成される。
【００３９】
次に、図１に示すように、前記骨組み１ａに前記断熱材７を蛇行するように組み込む。なお、この時、前記骨組み１ａの片側面に、予め面材５を取り付けておくようにすると、前記千鳥状に配設されたスタッド４と面材５との間に、前記断熱材７を挟むようにしながら組み込むことができるので好ましい。
【００４０】
そして、最後に、図１または図２に示すように、前記骨組み１ａの表裏両面に面材５を取り付ける。
この時、図１に示すように、前記面材５の両側縁部と中央部とにビス９を打ち込むことができるようにする。すなわち、前記面材５の両側縁部と中央部とにビス９を打ち込むことによって、これら面材５が前記骨組み１ａに固定されて、振動することを効果的に防ぐことができる。これによって、遮音性能の向上を図ることができる。
【００４１】
以上のようにして、間仕切壁１を形成することができる。
このような間仕切壁１の形成方法によれば、前記スタッド用スペーサ６が取り付けられたスタッド４を、前記凹溝部２ａ、３ａの内壁に当接しないようにして挿入してから、前記スタッド用スペーサ６とスタッド４とが前記凹溝部２ａ、３ａの異なる内壁に当接するように９０度回転させるだけで、前記複数のスタッド４の上下端部４ａ、４ｂを前記凹溝部２ａ、３ａに簡単に固定することができ、これによって、前記上下ランナ２、３とスタッド４とにより形成される骨組み１ａの組立作業も簡単に行うことができ、延いては、このような骨組み１ａに断熱材７を蛇行するように組み込んだ後、該骨組み１ａの表裏両面に面材５を取り付けるだけで間仕切壁１を形成することができるので、全体的な組み立て作業の作業効率を向上させることができる。
【図面の簡単な説明】
【００４２】
【図１】本発明の間仕切壁構造を示す平断面図。
【図２】本発明の間仕切壁構造を示す分解斜視図。
【図３】スタッド用スペーサを示す斜視図。
【図４】スタッド用スペーサを取り付けたスタッドの固定方法を示す平断面図。
【符号の説明】
【００４３】
１  間仕切壁
１ａ  骨組み
２  上ランナ
２ａ  凹溝部
３  下ランナ
３ａ  凹溝部
４  スタッド
５  面材
６  スタッド用スペーサ
７  断熱材
【図１】
2006161502.tif 000003
【図２】
2006161502.tif 000004
【図３】
2006161502.tif 000005
【図４】
2006161502.tif 000006